(57)【要約】【課題】リクライニングする際の背ズレ感を緩和・解消することができ、着座感を向上させることができる座席装置を提供する。【解決手段】背凭れ２１の背凭れフレーム２３をリクライニング機構の回転軸４０に支持し、座部１１の座部フレーム１３を、取り付け箇所に固定してあるベース１上にて前後方向に移動可能に支持し、座部フレーム１３の後端側を背凭れフレーム２３の下端側に連結部材３０を介して吊下げた状態に連結し、背凭れ２１のリクライニング動作に応じて座部１１を後方向に連動させる。【選択図】図１
2011093467.tif 000002
【特許請求の範囲】
【請求項１】
座部の後端側に背凭れを傾動可能に支持し、該背凭れの傾動角度を調整するリクライニング機構を備えた座席装置において、
前記背凭れの背凭れフレームを前記リクライニング機構の回転軸に支持し、
前記座部の座部フレームを取り付け箇所にて前後方向に移動可能に支持し、
前記座部フレームを前記背凭れフレームに連結部材を介して連結し、前記背凭れのリクライニング動作に応じて前記座部を前後方向に連動させることを特徴とする座席装置。
【請求項２】
前記背凭れフレームに対する前記連結部材の一端側の連結箇所を、前記背凭れフレームの下端側のうち前記回転軸よりも背凭れ上方寄りの位置に設定すると共に、
前記座部フレームに対する前記連結部材の他端側の連結箇所を、前記座部フレームの後端側のうち前記回転軸よりも座部前方寄りの位置に設定し、
前記座部フレームの後端側を、前記背凭れフレームの下端側に前記連結部材を介して吊下げた状態で連結し、前記背凭れのリクライニング動作に応じて前記座部を後方向に連動させることを特徴とする請求項１に記載の座席装置。
【請求項３】
前記座部フレームを、前記取り付け箇所に固定したベース上に前後方向にのみ移動可能に載置した状態で支持し、
前記背凭れのリクライニング動作に応じて、前記座部を高さが一定に保たれた状態で後方向に連動させることを特徴とする請求項２に記載の座席装置。
【請求項４】
前記背凭れフレームを、前傾する方向へ付勢手段を介して付勢し、
前記リクライニング機構は、前記付勢手段の付勢力に抗して前記背凭れを所望の傾動角度に保持可能であることを特徴とする請求項１，２または３に記載の座席装置。
【発明の詳細な説明】
【技術分野】
【０００１】
本発明は、座部の後端側に背凭れを傾動可能に支持し、該背凭れの傾動角度を調整するリクライニング機構を備えた座席装置、特に鉄道車両等に設置する乗物用の座席装置に関する。
【背景技術】
【０００２】
従来、鉄道車両等に設置する乗物用の座席装置として、快適な座り心地を提供するためのリクライニング機構を備えたものがある。このような座席装置では、座部の後端側に背凭れが傾動可能に支持され、着座者が背中で背凭れを後方に押すことにより、回転軸に保持されている背凭れを後方にリクライニング可能としたものが一般的である。さらに、例えば特許文献１に開示されたように、リクライニング機能に加えて座部を前後方向に移動可能に支持した座席装置も知られている。
【０００３】
すなわち、車体にベースプレートを載置し、該ベースプレートにアームを回動可能に軸支し、該アームに背凭れを固定すると共に、連動プレートの一端部を回動可能に軸着し、該連動プレートの他端部を座部の後部に固定したものである。ここで座部の前部を、車体に載置したブラケットに前後方向へ移動可能に支持し、かつ前記アームを所望の傾斜角度に傾斜調節するロック機構部を、前記ベースプレートに設けている。
【０００４】
かかる座席装置では、ロック機構部を操作し、アームを後傾可能な状態にして背凭れをリクライニングすると、連動プレートが後方へ引かれ、かつ下降し、座部の後部は後方へ移動しながら下降すると共に、座部の前部は後方に移動する。このように、背凭れのリクライニングに連動して、座部の後部が下方および後方へ同時に移動し、座部の座面角は背凭れの傾斜角度に応じて自動的に変更調節されていた。
【先行技術文献】
【特許文献】
【０００５】
【特許文献１】特開平８−２１４９７７号公報
【発明の概要】
【発明が解決しようとする課題】
【０００６】
前述した特許文献１に記載されたような座席装置は、背凭れのリクライニングに連動して、座部の後部を後退のみならずリンク機構で下降させることにより、座部上におけるヒップポイントの移動を少なくする尻ズレ防止を目的としたものであるが、背ズレを防止する機構ではなく、逆に背ズレを増長させるという問題点があった。
【０００７】
すなわち、特許文献１に記載されたような座席装置では、着座者がリクライニングする際に、着座者の背中と後傾する座部との間で、それぞれの動作中心位置（着座者：大腿骨の付け根付近、座席：背もたれ傾動中心）が互いにずれていることにより、背ズレ感が生じて着座者が不快感を感じやすいものであった。
【０００８】
また、座部の後部を後方のみならず下方にも移動させるために、座部自体を移動可能に支持するための構成が複雑となり、さらに、背凭れのリクライニングに連動させるためのリンク機構も複雑となるため、動作の不安定さを招きやすいばかりでなく、部品点数が多くなり組付け工数が増大し、重量増加やコストアップの要因になるという問題点もあった。
【０００９】
本発明は、以上のような従来の技術が有する問題点に着目してなされたものであり、リクライニングする際の背ズレ感を緩和・解消することができ、着座感を向上させることができると共に、簡易な構成により容易に製造することができ、安定した動作や軽量化およびコストダウンを実現することができる座席装置を提供することを目的としている。
【課題を解決するための手段】
【００１０】
前述した目的を達成するための本発明の要旨とするところは、以下の各項の発明に存す
る。  
［１］座部（１１）の後端側に背凭れ（２１）を傾動可能に支持し、該背凭れ（２１）の傾動角度を調整するリクライニング機構を備えた座席装置（１０）において、
前記背凭れ（２１）の背凭れフレーム（２３）を前記リクライニング機構の回転軸（４０）に支持し、
前記座部（１１）の座部フレーム（１３）を取り付け箇所にて前後方向に移動可能に支持し、
前記座部フレーム（１３）を前記背凭れフレーム（２３）に連結部材（３０）を介して連結し、前記背凭れ（２１）のリクライニング動作に応じて前記座部（１１）を前後方向に連動させることを特徴とする座席装置（１０）。
【００１１】
［２］前記背凭れフレーム（２３）に対する前記連結部材（３０）の一端側（３１）の連結箇所を、前記背凭れフレーム（２３）の下端側のうち前記回転軸（４０）よりも背凭れ（２１）上方寄りの位置（２６）に設定すると共に、
前記座部フレーム（１３）に対する前記連結部材（３０）の他端側（３２）の連結箇所を、前記座部フレーム（１３）の後端側のうち前記回転軸（４０）よりも座部（１１）前方寄りの位置（１６）に設定し、
前記座部フレーム（１３）の後端側を、前記背凭れフレーム（２３）の下端側に前記連結部材（３０）を介して吊下げた状態で連結し、前記背凭れ（２１）のリクライニング動作に応じて前記座部（１１）を後方向に連動させることを特徴とする［１］に記載の座席装置（１０）。
【００１２】
［３］前記座部フレーム（１３）を、前記取り付け箇所に固定したベース（１）上に前後方向にのみ移動可能に載置した状態で支持し、
前記背凭れ（２１）のリクライニング動作に応じて、前記座部（１１）を高さが一定に保たれた状態で後方向に連動させることを特徴とする［２］に記載の座席装置（１０）。
【００１３】
［４］前記背凭れフレーム（２３）を、前傾する方向へ付勢手段（４１）を介して付勢し、
前記リクライニング機構は、前記付勢手段（４１）の付勢力に抗して前記背凭れ（２１）を所望の傾動角度に保持可能であることを特徴とする［１］，［２］または［３］に記載の座席装置（１０）。
【００１４】
前記本発明は次のように作用する。  
前記［１］に記載の座席装置（１０）によれば、背凭れ（２１）は、背凭れフレーム（２３）が支持されているリクライニング機構の回転軸（４０）を中心に傾動し、座部（１１）は、座部フレーム（１３）が支持されている取り付け箇所で前後方向に移動する。そして、座部フレーム（１３）は背凭れフレーム（２３）に連結部材（３０）を介して連結されているから、背凭れ（２１）のリクライニング動作に応じて、座部（１１）は前後方向に連動する。
【００１５】
これにより、着座者がリクライニングする際に、着座者の背中と後傾する背凭れ（２１）との間で、それぞれの動作中心位置が互いに近接するように自動的に調整されるため、背ズレ感を緩和・解消することができる。また、両フレーム（１３，２３）間を連結部材（３０）で連結するだけの簡易な構成により、重量増加やコストアップを招くことがなく、また、安定した動作を実現することができる。
【００１６】
前記［２］に記載の座席装置（１０）によれば、背凭れフレーム（２３）に対する連結部材（３０）の一端側（３１）の連結箇所を、背凭れフレーム（２３）の下端側のうち前記回転軸（４０）よりも背凭れ（２１）上方寄りの位置（２６）に設定すると共に、座部フレーム（１３）に対する連結部材（３０）の他端側（３２）の連結箇所を、座部フレーム（１３）の後端側のうち前記回転軸（４０）よりも座部（１１）前方寄りの位置（１６）に設定する。
【００１７】
そして、座部フレーム（１３）の後端側を、背凭れフレーム（２３）の下端側に前記連結部材（３０）を介して吊下げた状態で連結する。これにより、背凭れ（２１）のリクライニング動作に応じて、背凭れフレーム（２３）の後傾により連結部材（３０）の一端側（３１）は後方へ引かれ、これに伴い連結部材（３０）の他端側（３２）が連結されている座部フレーム（１３）も後方へ引かれて、座部（１１）は後方向に連動する。従って、背ズレ感をより確実に緩和・解消することができる。
【００１８】
また、前記［３］に記載したように、座部フレーム（１３）を、その取り付け箇所に固定したベース（１）上に前後方向にのみ移動可能に載置した状態で支持すると良い。これにより、背凭れ（２１）のリクライニング動作に応じて、座部（１１）はベース（１）上にて高さが一定に保たれた状態で後方向にのみ連動するため、背ズレを増長させる事態を確実に防止することができる。
【００１９】
さらに、前記［４］に記載の座席装置（１０）によれば、背凭れフレーム（２３）を前傾する方向へ付勢手段（４１）を介して付勢し、リクライニング機構は、前記付勢手段（４１）の付勢力に抗して背凭れ（２１）を所望の傾動角度に保持する。これにより、リクライニング機構による拘束を解除すると、背凭れ（２１）は基準の起立位置まで自動的に前傾するが、着座者が背ずりに凭れかかることにより、凭れかかる力で背凭れ（２１）を所望のリクライニング角度まで後傾させて、当該位置に保持することができる。
【発明の効果】
【００２０】
本発明に係る座席装置によれば、座部フレームは背凭れフレームに連結部材を介して連結され、背凭れのリクライニング動作に応じて座部は前後方向に連動するから、リクライニングする際の背ズレ感を緩和・解消することができ、着座感を向上させることができると共に、簡易な構成により容易に製造することができ、また、安定した動作や軽量化およびコストダウンを実現することができる。
【図面の簡単な説明】
【００２１】
【図１】本発明の実施の形態に係る座席装置の全体を示す斜視図である。
【図２】本発明の実施の形態に係る座席装置をリクライニングさせた状態を示す斜視図である。
【図３】本発明の実施の形態に係る座席装置の側部を拡大して示す側面図である。
【図４】本発明の実施の形態に係る座席装置のリクライニング時における動作を概略的に示す説明図である。
【発明を実施するための形態】
【００２２】
以下、図面に基づき本発明を代表する実施の形態を説明する。  
図１から図４は、本発明の一実施の形態を示している。  
本実施の形態に係る座席装置１０は、鉄道車両や航空機等の乗物用として設置され、座部１１の後端側に背凭れ２１を傾動可能に支持し、該背凭れ２１の傾動角度を調整するリクライニング機構を備えたものである。
【００２３】
図１は、本発明の実施の形態に係る座席装置１０の全体を示す斜視図である。図２は、同座席装置１０をリクライニングさせた状態を示す斜視図である。図３は、同座席装置１０の側部を拡大して示す側面図である。図４は、同座席装置１０のリクライニング時における動作を概略的に示す説明図である。
【００２４】
図１に示すように、座席装置１０は、１人分の座部１１と背凭れ２１とを独立に支持している。座部１１は、その外形をなすクッション１２内に金属製の座部フレーム１３を内蔵しており、クッション１２の着座面は、人間工学に基づいて着座者に安楽感をもたらす形状に形成されている。
【００２５】
座部フレーム１３は、矩形状の枠組みとして構成されている。詳しく言えば座部フレーム１３は、左右一対の側部１４，１４と、各側部１４の前端間に架設した前部１５と、各側部１４の後端間に架設した後部１６とからなり、各側部１４の後端側の途中には補強部１７が架設されている。各側部１４の後端側は、補強部１７が架設された部位から後部１６が架設された後端にかけて斜めに立ち上がるように屈曲している。ここで後部１６が、後述する連結部材３０の取り付け箇所となる。
【００２６】
図３および図４に示すように、座席装置１０の取り付け箇所には台座であるベース１が固定されており、このベース１上に座部フレーム１３は、前後方向にのみ移動可能に載置した状態で支持されている。これにより、座部１１は、前後方向にのみ移動し上下方向に移動することはない。なお、図３および図４においては、それぞれ座部１１や背凭れ２１の形状が多少異なるが、これは単に設計事項の変更に過ぎないものである。
【００２７】
図１に示すように、背凭れ２１は、その外形をなす背当てクッション２２内に金属製の背凭れフレーム２３を内蔵しており、背当てクッション２２の背当て面は、前記座部１１のクッション１２の着座面と同様に、人間工学に基づいて着座者に安楽感をもたらす形状に形成されている。
【００２８】
背凭れフレーム２３は、矩形状の枠組みとして構成されている。詳しく言えば背凭れフレーム２３は、左右一対の側部２４，２４と、各側部２４の上端間に架設した上部２５と、各側部２４の下端間に架設した下部２６とからなる。ここで下部２６が、後述する連結部材３０の取り付け箇所となる。
【００２９】
各側部２４の下端には、さらに下方へ円弧形に湾曲して延びるアーム２７がそれぞれ一体に連結されている。各アーム２７の上端部は、座席装置１０の両側に配設される図示省略したアームレスト等の支持構造に対して回動可能に軸支されたリクライニング機構の回転軸４０に支持されている。
【００３０】
すなわち、背凭れ２１の背凭れフレーム２３は、リクライニング機構の回転軸４０によって傾動可能に支持されている。背凭れ２１の傾動角度は、図３に示すように、背凭れ２１の基準位置となる初期設定位置から図中に想像線で示した最大限にリクライニングさせた最大後傾位置までの範囲内に制限される。なお、図１，図２における回転軸４０は、正確には回転軸４０の軸受孔を指しており、実際の回転軸４０は図示省略している。
【００３１】
図１に示すように、座部フレーム１３は、背凭れフレーム２３に連結部材３０を介して連結されており、背凭れ２１のリクライニング動作に応じて、座部１１は前後方向に連動するように設定されている。ここで背凭れフレーム２３に対する連結部材３０の一端側３１の連結箇所は、背凭れフレーム２３の下端側のうち前記回転軸４０よりも背凭れ２１の上方寄りの位置に設定されている。
【００３２】
詳しく言えば、連結部材３０は、金属板をその中央で略Ｕ字形に折り曲げて形成した簡易な構成であり、湾曲した一端側３１が、背凭れフレーム２３の下部２６に回動可能に掛止されている。図３に示すように、座席装置１０の側面視において下部２６は、回転軸４０よりも背凭れ２１上方寄りに位置しており、座部１１がリクライニング（後傾）すると、回転軸４０を中心として後方へ移動する。
【００３３】
また、座部フレーム１３に対する連結部材３０の他端側３２の連結箇所は、座部フレーム１３の後端側のうち前記回転軸４０よりも座部１１の前方寄りの位置に設定されている。詳しく言えば、連結部材３０の他端側３２は、座部フレーム１３の後部１６を間に挟む状態でボルト等により固定されている。図３に示すように、座席装置１０の側面視において後部１６は、回転軸４０よりも座部１１の前方寄りに位置しており、この後部１６は、前記背凭れフレーム２３の下部２６に連結部材３０を介して吊下げた状態で連結されている。
【００３４】
図１に示すように、背凭れフレーム２３の下端両側より延びた前記一対のアーム２７，２７には、それぞれの下端にリクライニング機構の構成部品である油圧シリンダー４１が連結されている。背凭れフレーム２３が初期設定位置にない時、油圧シリンダー４１は、背凭れフレーム２３を初期設定位置に復元するように動作する。すなわち、背凭れフレーム２３は、前傾する方向へ付勢手段である油圧シリンダー４１を介して付勢されている。
【００３５】
背凭れフレーム２３が初期設定位置にある場合には、油圧シリンダー４１のロックを解除してから、油圧シリンダー４１からの復元方向の力に抗して背凭れ２１を後傾方向へ押すことにより、背凭れ２１を最大後傾位置までの任意の位置までリクライニングさせることができる。前述したように、座部フレーム１３の後部１６が、背凭れフレーム２３の下部２６に連結部材３０を介して連結されており、背凭れ２１のリクライニング動作に応じて座部１１は後方向に連動する。
【００３６】
また、油圧シリンダー４１により、背凭れ２１を初期設定位置から最大後傾位置までの所望の傾動角度でロックして保持することができる。油圧シリンダー４１をロックした時は、油圧シリンダー４１による復元のみならず外力による背凭れフレーム２３の傾動もロックされるので、背凭れ２１および座部１１の位置が固定される。なお、油圧シリンダー４１のロック解除を行う操作レバーは、図示省略したアームレスト等に設けられている。
【００３７】
次に、本実施の形態に係る座席装置１０の作用を説明する。  
座席装置１０の背凭れ２１をリクライニングするには、先ず着座者は、操作レバーを操作して油圧シリンダー４１のロックを解除する。すると、背凭れ２１は、油圧シリンダー４１の付勢力により初期設定位置まで前傾しようとするが、かかる状態で着座者は背中を背凭れ２１に押し付けて、背凭れ２１を所望の傾斜角度まで後傾させて保持することができる。
【００３８】
背凭れ２１のリクライニング時に、図３に示すように、背凭れフレーム２３の下部２６が、リクライニング機構の回転軸４０を中心に後方へ回動すると、下部２６に連結部材３０を介して連結されている座部フレーム１３の後部１６が後方向へ引かれる。従って、図３中に想像線で示したように、背凭れ２１のリクライニング動作に応じて座部１１全体も後方向に連動する。図４は、座席装置１０のリクライニング時における動作を概略的に示している。
【００３９】
このように、着座者がリクライニングする際には、着座者の背中と後傾する背凭れ２１との間で、それぞれの動作中心位置が互いに近接するように自動的に調整されるため、背ズレ感を緩和・解消することができる。また、両フレーム１３，２３間を連結部材３０で連結するだけの簡易な構成により、重量増加やコストアップを招くことがなく、また、安定した動作を実現することができる。
【００４０】
特に、図３で明確なように、背凭れフレーム２３に対する連結部材３０の一端側３１の連結箇所を、前記回転軸４０よりも背凭れ２１の上方寄りの位置に設定すると共に、座部フレーム１３に対する連結部材３０の他端側３２の連結箇所を、前記回転軸４０よりも座部１１の前方寄りの位置に設定したので、座部フレーム１３の後端側は、背凭れフレーム２３の下端側に連結部材３０を介して吊下げられた状態で連結することになる。
【００４１】
これにより、背凭れ２１のリクライニング動作に応じて、背凭れフレーム２３の後傾により連結部材３０の一端側３１は確実に後方へ引かれ、これに伴い連結部材３０の他端側３２が連結されている座部フレーム１３も確実に後方へ引かれて、座部１１は後方向にスムーズに連動する。従って、背ズレ感をいっそう緩和・解消することができる。
【００４２】
さらに、座部フレーム１３は、その取り付け箇所に固定したベース１上に前後方向にのみ移動可能に載置した状態で支持されている。これにより、背凭れ２１のリクライニング動作に応じて、座部１１はベース１上にて高さが一定に保たれた状態で後方向にのみ連動するため、背ズレを増長させる事態をより確実に防止することができる。
【００４３】
以上のような座席装置１０によれば、簡易な部品である連結部材３０により、背凭れフレーム２３に座部フレーム１３を吊下げるだけの簡単な構造によって、座部１１を背凭れ２１のリクライニング動作に追随するように連動させることにより、着座者の背ズレ感を緩和・解消することができる。
【００４４】
また、リクライニング動作に伴い座部１１は後方に移動するため、座部１１の前端部が後退することになり、足元スペースを拡大することができる。また、従来の連動機構よりも、部品点数が少なくて済み、低コスト化を実現することができ、重量も必要以上には増加しない。さらに、構成が簡易な分だけ動作の不安定さも解消することができる。
【００４５】
以上、本発明の実施例を図面によって説明してきたが、具体的な構成はこれらの実施例に限られるものではなく、本発明の要旨を逸脱しない範囲における変更や追加があっても本発明に含まれる。例えば、座部フレーム１３、背凭れフレーム２３、それに連結部材３０は、図示した形状に限られるものではない。また、連結部材３０は、金属板を折り曲げて構成したが、他に例えば、一対のリンク部材によって構成しても良い。さらに、座席装置１０は、鉄道車両等の乗物用に限られるものでもない。
【産業上の利用可能性】
【００４６】
本発明は、座部の後端側に背凭れを傾動可能に支持し、該背凭れの傾動角度を調整するリクライニング機構を備えた座席装置のうち、とりわけ鉄道車両等の乗物用の座席装置に適用することができる。
【符号の説明】
【００４７】
１…ベース
１０…座席装置
１１…座部
１２…クッション
１３…座部フレーム
１４…側部
１５…前部
１６…後部
１７…補強部
２１…背凭れ
２２…背当てクッション
２３…背凭れフレーム
２４…側部
２５…上部
２６…下部
２７…アーム
３０…連結部材
３１…一端側
３２…他端側
４０…回転軸
４１…油圧シリンダー
【図１】
2011093467.tif 000003
【図２】
2011093467.tif 000004
【図３】
2011093467.tif 000005
【図４】
2011093467.tif 000006